(57)【要約】【課題】吸着体と貫通孔との隙間から熱が筐体外へ漏出することを抑制する。【解決手段】軸方向に垂直な平面のいずれの方向にも屈曲可能な吸着体と吸着体に担持された吸着材とを有するロープ状吸着体１と、ロープ状吸着体１を移動する駆動装置２ａと、ロープ状吸着体１から水分を除去する再生装置３とを備える。これによって、筐体１０の貫通孔４ａおよび４ｂを小さくできるので、吸着体と貫通孔との隙間から熱の漏出を抑制できる。【選択図】図３
2018176007.tif 000002
【特許請求の範囲】
【請求項１】
吸着剤を有するロープ状吸着体と、前記ロープ状吸着体を移動する駆動装置と、前記ロープ状吸着体から水分を除去する再生装置とを備えた除湿装置。
【請求項２】
前記ロープ状吸着体は、無終端体である請求項１に記載の除湿装置。
【請求項３】
前記ロープ状吸着体は、軸方向に垂直な平面のいずれの方向にも屈曲可能な吸着体と、前記吸着体に担持された吸着材とを有する請求項１または２に記載の除湿装置。
【請求項４】
前記ロープ状吸着体は、複数の吸着体片と、前記吸着体片を連結する連結手段とを有する請求項１から請求項３のいずれか１項に記載の除湿装置。
【請求項５】
前記連結手段は、帯状のベルトであり、前記吸着体片は前記連結手段を挟みこむ請求項４に記載の除湿装置。
【請求項６】
前記吸着体片は、吸着材と、前記吸着材を担持させる基材とを有する請求項４または５に記載の除湿装置。
【請求項７】
請求項１から６のいずれか１項に記載の除湿装置を備える、冷蔵庫。
【請求項８】
請求項１から６のいずれか１項に記載の除湿装置を備える、冷凍庫。
【発明の詳細な説明】
【技術分野】
【０００１】
本発明は筐体内の水分を吸着後、筐体外で放出する除湿装置に関する。
【背景技術】
【０００２】
空気中の水分を、吸着剤を担持した円板状吸着体（デシカントローター）で吸着し、その後、加熱等により吸着した水分を放出するという手法を用いた除湿装置が広く使用されている。たとえば、特許文献１には、以下の冷凍装置が開示されている。冷蔵または冷凍庫内の水分を吸着するために水分吸着手段である円板状吸着体の一部を冷蔵または冷凍庫内を通過するよう設置することで水分を除去した空気を蒸発器へ供給する。一方で吸湿した水分を脱水して再生するために、円板状吸着体の一部が冷蔵または冷凍庫外を通過するように設置し、凝縮器（放熱器）で加熱された高温の空気を円板状吸着体へ供給する。図６は従来の除湿装置の構成を示す概略図である。
【０００３】
除湿装置は、水分を吸・脱着する吸着剤を備え、その一部が冷蔵または冷凍庫の筐体１００の内部に臨み、他の一部が筐体１００の外に臨むように筐体壁に回転可能に設置された円板状吸着体１０１と、円板状吸着体１０１を回転させる駆動装置１０２と、筐体１００の内側に設置された蒸発器１３と、筐体１００の外側に設置された凝集器１４と、筐体１００内の空気を循環させる蒸発器ファン１５と、外気を円板状吸着体１０１へ送風する凝集器ファン１６とを備えている。
【０００４】
蒸発器ファン１５に相対する円板状吸着体１０１の部分へ筐体１００内の空気を送ることで、円板状吸着体１０１が筐体１００内の水分を吸着する。円板状吸着体１０１が駆動装置１０２によって回転することで、筐体１００内の水分を吸着した部分が、筐体１００の外に移動する。そして円板状吸着体１０１のうち水分を吸着した部分が筐体外の凝集器１４と相対する。凝集器ファン１６により凝集器１４を通過した高温空気が、円板状吸着体１０１を加熱することで吸着した水分を脱着させ、吸着剤を再生する。
【先行技術文献】
【特許文献】
【０００５】
【特許文献１】国際公開第２００８／０８４５２８号
【発明の概要】
【発明が解決しようとする課題】
【０００６】
しかしながら、このような従来の除湿装置では以下に示す課題がある。すなわち円板状吸着体を設置するために冷凍庫の壁に貫通孔を開ける必要がある。この貫通孔に円板状吸着体を差し込む形で設置するが、円板状吸着体が回転するためには円板状吸着体と壁との間に隙間を設ける必要がある。その隙間を通って外気が筐体内の冷気と接触し、外気に含まれる水分が隙間周辺で凍結をおこす。その結果、筐体壁と円板状吸着体とが固着して動かなくなることが起こる。
【０００７】
これを回避するため、隙間近傍にヒーターを設置して凍結を防止する手段が考えられる。しかし円板状吸着体を設置するための貫通孔はある程度の大きさが必要となるので貫通孔の周囲長が長くなる。そのため、筐体外の熱が、貫通孔の周囲部から侵入し、交筐体内の温度が上昇する。または、たとえばヒーターにより凍結の防止をする場合では貫通孔付近で発生させる熱が多くなる。その結果、熱の一部は筐体内に伝わるため筐体内の温度が上昇する。これにより、冷却効率が低下するという課題がある。
【課題を解決するための手段】
【０００８】
本発明の除湿装置はロープ状吸着体を使用するものである。
【発明の効果】
【０００９】
本発明の構成により貫通孔の周辺長が短くなるため、筐体内の温度上昇を抑えることが可能となる。
【図面の簡単な説明】
【００１０】
【図１】実施の形態１に係る除湿装置の概略構成図
【図２】実施の形態２に係る除湿装置の概略構成図
【図３】実施の形態３に係る除湿装置の概略構成図
【図４】変形例に係るロープ状吸着体の（ａ）概略構成図、（ｂ）吸着体片の斜視図
【図５】変形例に係る別のロープ状吸着体の概略構成図
【図６】従来の除湿装置を示した概略構成図
【発明を実施するための形態】
【００１１】
第１の発明は、吸着剤を有するロープ状吸着体と、前記ロープ状吸着体を移動する駆動装置と、前記ロープ状吸着体から水分を除去する再生装置とを備えた除湿装置である。
【００１２】
第２の発明は、第１の発明において、前記ロープ状吸着体は、無終端体であるものである。
【００１３】
第３の発明は、第１または第２の発明において、前記ロープ状吸着体は、軸方向に垂直な平面のいずれの方向にも屈曲可能な吸着体と、前記吸着体に担持された吸着材とを有するものである。
【００１４】
第４の発明は、第１〜３のいずれか１つの発明において、前記ロープ状吸着体は、複数の吸着体片と、前記吸着体片を連結する連結手段とを有するものである。
【００１５】
第５の発明は、第４の発明において、前記連結手段は、帯状のベルトであり、前記吸着体片は前記連結手段を挟みこむものである。
【００１６】
第６の発明は、第４または第５の発明において、前記吸着体片は、吸着材と、前記吸着材を担持させる基材とを有するものである。
【００１７】
第７の発明は、第１〜６のいずれか１つの発明の除湿装置を備える、冷蔵庫である。
【００１８】
第８の発明は、第１〜６のいずれか１つの発明の除湿装置を備える、冷凍庫である。
【００１９】
以下、本発明の実施の形態について、図面を参照しながら説明する。なお、この実施の形態によって本発明が限定されるものではない。
【００２０】
（実施の形態１）
図１は実施の形態１に係る除湿装置の概略構成図である。本実施の形態では筐体１０の内部を除湿する例を示す。除湿装置は、ロープ状吸着体１と、駆動装置２と、再生装置３とを備えている。筐体１０は、貫通孔４を備えている。筐体１０は、たとえば、冷蔵庫または冷凍庫の筐体である。
【００２１】
ロープ状吸着体１は、一端が筐体１０の内部に貫通孔４を介して挿入されており、他端が駆動装置２に連結されている。駆動装置２は、例えば、正反の双方向に回転可能な電動
モータであり、筐体１０の上部に設けられている。駆動装置２は巻き取り部を備え、ロープ状吸着体１を巻き取ることができる。ロープ状吸着体１の一部は再生装置３に覆われている。再生装置３は、駆動装置２と筐体１０との間に設けられている。再生装置３は、例えば、加熱機構を備えている。再生装置３は、ロープ状吸着体１から発生した水分を外部に排出する排出機構（図示せず）を備えている。ロープ状吸着体は、駆動装置２によって、貫通孔４を介して筐体１０の内部へ出し入れされる。
【００２２】
ロープ状吸着体１は、少なくとも、吸着剤とバインダーとから構成された連続体である。より具体的には、ロープ状吸着体１は、軸方向に垂直な平面のいずれの方向にも、屈曲可能な吸着体（ロープ）と、吸着体にバインダーによって担持された吸着材とを備える。ロープの軸方向に垂直な平面での断面の形状は、限定されない。断面の形状は、例えば、円形や、楕円形や、矩形や、多角形であってもよい。
【００２３】
次に除湿装置の動作について説明する。駆動装置２に巻き取られているロープ状吸着体１が、貫通孔４を通過して筐体１０の内部へ挿入するよう、駆動装置２を作動させる。筐体１０内部へ挿入したロープ状吸着体１は筐体１０の内部に存在する水分の吸着を行う。ロープ状吸着体１の水分吸着量は、筐体１０の内部から除去する水分の量に合わせ、ロープ状吸着体１を構成する吸着剤の単位重量あたりの水分吸着量と吸着剤の担持量を調節することにより設定できる。
【００２４】
あらかじめ設定したロープ状吸着体１の水分吸着量に相当する水分を吸着した後、ロープ状吸着体１を巻き上げるように駆動装置２を作動させる。それにあわせ、ロープ状吸着体１が再生装置３を通過する際に、再生装置３が、たとえば加熱することにより、ロープ状吸着体１に吸着した水分を放出させる。水分を放出したロープ状吸着体１は、駆動装置２に巻き取られる。再生装置３によって放出された水分は、排出機構を通じて再生装置３の外へ排出される。
【００２５】
ロープ状吸着体１の端部が再生装置３に差し掛かったところで、ロープ状吸着体１が貫通孔４を通過して、再び筐体１０の内部へ侵入するように駆動装置２を作動させる。ロープ状吸着体１の出し入れは連続して行ってもよく、または間欠的に行ってもよい。
【００２６】
本実施の形態の構成により、円板状吸着体の一部を筐体内部へ挿入して水分を吸脱着する場合よりも、筐体１０に設置する貫通孔４を小さくできる。一例として表１に同一体積を持つロープ状吸着体と円板状吸着体との比較を示す。
【００２７】
【表１】
2018176007.tif 000003
【００２８】
表１では、それぞれの吸着体の体積が同じとなるようにして、貫通孔周囲長を比較する。この理由は、吸着体の水分吸着量は、体積に比例するからである。表１において、貫通孔周囲長とは、筐体１０にそれぞれの吸着体を装着するのに必要な貫通孔の周囲の長さである。たとえば円板状吸着体では円板の中心軸に平行な平面で直径を切断した場合の断面の周囲の長さであり、ロープ状吸着体ではロープの軸方向に垂直な平面で切断した場合の円周である。
【００２９】
本実施の形態においては、ロープ状吸着体を設置するために必要な貫通孔は１つである。したがって、表１に示すように、ロープ状吸着体の貫通孔周囲長は円板状吸着体の約１／１０である。このため、円板状吸着体を用いる場合よりも、ロープ状吸着体１を用いる場合のほうが、貫通孔４の周囲から進入する外気の量が少なくなる。または、たとえば筐体１０が冷凍庫の場合では、円板状吸着体を用いる場合よりも、ロープ状吸着体１を用いる場合のほうが、貫通孔４の周囲に凍結により発生する氷の量が少なくなる。
【００３０】
（実施の形態２）
図２は実施の形態２に係る除湿装置の概略構成図である。本実施の形態では、筐体１０には２つの貫通孔４ａおよび４ｂが設置されている。
【００３１】
ロープ状吸着体１は、中央部で、プーリー５ａと駆動装置２ａによって、保持されている。駆動装置２ａは、例えば、正反の双方向に回転可能な電動モータであり、筐体１０の外部、具体的には、上部に設けられている。駆動装置２ａはプーリー部を備え、ロープ状吸着体１を軸方向に移動させることができる。プーリー５ａは、筐体１０の上部に設けられている。プーリー５ａと駆動装置２ａとは、離れた位置に配置されることが望ましい。
【００３２】
ロープ状吸着体１の一端側は貫通孔４ａを介して、他端側は貫通孔４ｂを介して、それぞれ筐体１０の内部へ挿入するよう設置されている。ロープ状吸着体１は駆動装置２およびプーリー５ａによって、筐体１０へ出し入れされる。再生装置３は駆動装置２ａとプーリー５ａとの間に設置されている。
【００３３】
つぎに除湿装置の動作について説明する。貫通孔４ａを通過して、ロープ状吸着体１の一部が筐体１０内部に挿入されている。ロープ状吸着体１のうち筐体１０の内部にある部分は、筐体１０の内部の水分を吸着している。筐体１０の内部に挿入された部分に水分が十分に吸着したことを検知すると、駆動装置２ａが回転する。駆動装置２ａの回転によって、ロープ状吸着体１の筐体１０の内部に挿入されていた部分が、貫通孔４ａを通過して筐体１０の内部から引き出され、再生装置３を通過する。これによりロープ状吸着体１のうち引き出された部分に吸着していた水分が放出される。このとき、ロープ状吸着体１の貫通孔４ｂ側は、貫通孔４ｂを通過して筐体１０の内部に挿入される。
【００３４】
ロープ状吸着体１のうち貫通孔４ｂを通じて筐体１０の内部へ挿入された部分が十分に水分を吸着したことを検知すると、駆動装置２ａの逆回転によって、ロープ状吸着体１の筐体１０の内部に挿入されていた部分が、貫通孔４ｂを通過して筐体１０の内部から引き出され、再生装置３を通過する。これによりロープ状吸着体１のうち引き出された部分に吸着していた水分が放出される。このとき、ロープ状吸着体１の貫通孔４ａ側は、ふたたび貫通孔４ａを通してロープ状吸着体１の筐体１０の内部への挿入が行われる。
【００３５】
上記動作を周期的に繰り返すことによって、ロープ状吸着体１は、いずれか一方の端部は、筐体１０の内部で吸着を行うことができる。
【００３６】
なお、本実施の形態では、ロープ状吸着体１のうち筐体１０の内部に挿入された部分に水分が十分に吸着したことを検知すると、駆動装置２ａによって、当該部分が再生装置３
に移動させるものとしてしたが、所定の時間経過すれば、駆動装置２ａによって、当該部分が再生装置３に移動させるものとしてもよい。
【００３７】
本実施の形態の構成においては、貫通孔は２つになり、貫通孔周囲長が長くなる。しかし、たとえば、表１に示したように、同一体積で比較しても、ロープ状吸着体の貫通孔周囲長は、円板状吸着体の約１／５である。したがって、円板状吸着体を用いる場合よりも、ロープ状吸着体１を用いる場合のほうが、貫通孔４ａまたは貫通孔４ｂの周囲から進入する外気の量が少なくなる。または、筐体１０が冷凍庫の場合、円板状吸着体を用いる場合よりも、ロープ状吸着体１を用いる場合のほうが、凍結により発生する氷の量が少なくなる。
【００３８】
（実施の形態３）
図３は実施の形態３に係る除湿装置の概略構成図である。本実施の形態においても筐体１０には２つの貫通孔４ａおよび４ｂが開けられていて、ロープ状吸着体１がそれぞれを通過する。ロープ状吸着体１は無終端体である。ロープ状吸着体１は、プーリー５ａ〜５ｃと、駆動装置２ａによって、保持されている。
【００３９】
プーリー５ａおよび５ｂは、筐体１０の内部、具体的には、筐体１０の内部の下方に設置されている。プーリー５ｃおよび駆動装置２ａは、筐体１０の外部、具体的には上部に設置されている。駆動装置２ａは、一方向に回転可能な電動モータでもよい。
【００４０】
ロープ状吸着体１は、駆動装置２と、プーリー５ａ〜５ｃによって、筐体１０の内部と外部とを周回する。再生装置３は、ロープ状吸着体１の一部が通過するように設置されている。
【００４１】
つぎに除湿装置の動作について説明する。ロープ状吸着体１は無終端体であるため、ロープ状吸着体１の軸方向のいずれか一方方向に移動するように、駆動装置２ａを動作させる。たとえば図３で示した矢印の方向へ移動するよう駆動装置２ａを動作させる。ロープ状吸着体１のうち、貫通孔４ａを通過して筐体１０の内部へ挿入された部分は、筐体１０内部に設置されたプーリー５ａおよび５ｂを通って、筐体１０の内部を通過する。その際に、筐体１０の内部の水分を吸着する。その後、ロープ状吸着体１のうち、貫通孔４ｂを通過して筐体１０の外部へ出てきた部分は、駆動装置２を通過した後に再生装置３を通過する。再生装置３で、ロープ状吸着体１は吸着した水分を放出する。ロープ状吸着体１のうち、再生装置３を通過して、再生された部分は、プーリー５ｃを通過して再び貫通孔４ａを通り、筐体１０の内部へ挿入される。
【００４２】
これによって、ロープ状吸着体１は、連続的に筐体１０の内部で吸着を行うことができる。
【００４３】
本実施の形態の構成においても、貫通孔は２つであるが、実施の形態２の場合と同様に、表１で示したように、同一体積で比較しても、ロープ状吸着体の貫通孔周囲長は、円板状吸着体の約１／５である。したがって、円板状吸着体を用いる場合よりも、ロープ状吸着体１を用いる場合のほうが、貫通孔４ａまたは貫通孔４ｂの周囲から進入する外気の量が少なくなる。または、筐体１０が冷凍庫の場合、円板状吸着体を用いる場合よりも、ロープ状吸着体１を用いる場合のほうが、凍結により発生する氷の量が少なくなる。
【００４４】
＜変形例＞
ロープ状吸着体の別の構成について説明する。ロープ状吸着体１ａは、吸着体片を連結手段により連結することにより構成されている。図４（ａ）は、本変形例に係るロープ状吸着体の概略構成図であり、図４（ｂ）は、吸着体片の斜視図である。吸着体片１１は、
略円板状である。吸着体片１１の中心部には孔が設けられており、この孔にワイヤーなどの連結手段１２を通して、固定することにより、連結手段１２に複数の吸着体片１１を連結している。
【００４５】
吸着体片１１を連結手段１２に固定する方法は限定されない。例えば、吸着体片１１を、連結手段１２が備える固定リングに保持させることにより固定できる。また、吸着体片１１同士の間隔は、任意に設定してよい。
【００４６】
ワイヤーの軸方向に垂直な平面での断面の形状は、例えば、円形や、楕円形や、矩形や、多角形であってもよい。
【００４７】
実施の形態１〜３で説明したように、ロープ状吸着体１を、吸着剤とバインダーとから構成された連続体の場合、筐体１０内の水分がロープ状吸着体１の内部に浸透するまでに時間がかかり、見かけ上、吸着剤の吸着速度が遅くなる。このためロープ状吸着体１の内部にある吸着剤を有効に活用するためには、時間をかけて筐体１０の内部の水分を吸着させる必要であった。
【００４８】
しかし、本変形例のような、吸着体片１１を連結手段１２により連結した構成のロープ状吸着体１ａでは、連続体として形成したロープ状吸着体１と比較して表面積が大きくなる。そのため、ロープ状吸着体１ａの内部にある吸着剤でも、吸着剤の吸着速度で水分を吸着することが可能となる。
【００４９】
なお、ロープ状吸着体１ａは、両端を接続して、無終端体としてもよい。
【００５０】
ロープ状吸着体が無終端体の場合、式（１）を満たすことで、ロープ状吸着体１のような連続体である場合よりも、ロープ状吸着体１ａのような吸着体片１１を使った連続体の場合のほうが表面積を大きくできる。
【００５１】
【数１】
2018176007.tif 000004
【００５２】
式（１）において、Ｓはロープ状吸着体が連続体であった場合では、ロープ状吸着体の軸に垂直に切断した時の断面積であり、吸着体片１１を使った連続体の場合では、ロープ状吸着体の軸に対して垂直な面の吸着体片１１の面積である。Ｌは、吸着体片１１の、軸に対して垂直な面における断面の周囲の長さである。Ｘは、吸着体片１１同士の距離である。この条件を満たすことにより、吸着体片１１を連ねたロープ状吸着体１ａの表面積は、連続体のロープ状吸着体１よりも大きくなる。このため、水分の吸着にとって有利である。
【００５３】
たとえば、表１に記載したロープ状吸着体１の場合では、ロープの直径２ｃｍ、ロープの長さ４５０ｃｍであるから、連続体であれば表面積は２８２６ｃｍ２である。一方、円板状で直径が２ｃｍ、厚さ０．５ｃｍの吸着体片１１を備えるように構成した場合では、ロープ状吸着体の軸に対して垂直な面の吸着体片１１の面積Ｓは半径１ｃｍの２乗に円周率を掛けたものであるから３．１４ｃｍ２、吸着体片１１の、軸に対して垂直な面における断面の周囲の長さＬは直径に円周率を掛けたもので６．２８ｃｍであるから、式（１）より吸着体片同士の距離Ｘが２Ｓ／Ｌ＝１ｃｍよりも小さい場合に、吸着体片１１を連結して構成したロープ状吸着体１ａの表面積が、連続体の場合よりも大きくなる。
【００５４】
Ｘを０．９ｃｍとした場合を例として吸着体片１１で構成したロープ状吸着体の表面積を計算する。ロープ状吸着体の長さ４５０ｃｍを、吸着体片１１の厚さ０．５ｃｍと吸着体片同士の距離０．９ｃｍを足した長さである１．４ｃｍで割ることで、ロープ状吸着体に設置できる吸着体片の個数を求めると３２１個になる。１つの吸着体片１１の表面積は９．４２ｃｍ２であるから、ロープ状吸着体の表面積は３０２３．８２ｃｍ２となり、連続体である場合よりも表面積が大きくなる。
【００５５】
なお、吸着体片の厚みや吸着体片同士の間隔は吸着体片１１を連結手段１２で固定するための手段、たとえば図４（ｂ）における中心部の孔等、により表面積が減少する場合も考慮して設定する。
【００５６】
また、式（１）は、ロープ状吸着体の断面が任意の形状であっても適用することが可能である。
【００５７】
吸着体片１１は吸着剤にバインダーを混合して形成することが可能である。また、吸着体片１１は多孔質またはハニカムの基材に吸着剤を担持させてもよい。ハニカムには作製できる大きさに制限があり、円板状であれば一般的に直径５０ｍｍ以下では作製が困難である。従って直径の小さな形状のロープ状吸着体に用いる吸着体片としては、多孔質基材に吸着剤を担持させたものが望ましい。
【００５８】
吸着体片１１の形状は特に制限はなく、円柱、角柱、球状や星型といった形状でもよい。またプーリーにかかる部分の断面形状に合わせた形、たとえばプーリーの中心側に接触する一辺がプーリーの外側よりも小さい台形といった形状でもよい。個々の吸着体片１１の形状や大きさが同じである必要は無いが、ロープ状にして貫通孔を通過させるという観点ではできる限り同一であるのが望ましい。
【００５９】
吸着体片１１の厚みや吸着体片１１同士の間隔の大きさは任意であり、ロープ状吸着体１ａ全体の表面積に応じて適宜設定が可能である。表面積を大きくするという観点では吸着体片１１の形状にもよるが、吸着体片１１の厚み及び吸着体片１１同士の間隔はできる限り小さいほうが望ましい。吸着体片１１を構成する材料強度などを考慮すると、吸着体片１１の厚みは０．１ｍｍ以上が望ましい。
【００６０】
また、吸着体片１１の間隔は吸着体片１１の一部に設けた突部の高さにより設定することが可能である。
【００６１】
連結手段１２は吸着体片を連結することでロープ状吸着体を構成できるのであれば任意の方式をとることができる。図４では糸状体であるワイヤーを吸着体片１１にあけた穴に通すことによりロープ状吸着体１ａを構成しているが、図５に示すように、連結手段として、帯状の連続体１２ａを、吸着体片１１の端部に設けられた切れ込みにはさむ形でもよい。帯状の連続体１２ａを、たとえばスチールベルトといったねじれに強い材質のものを使用することで、ロープ状吸着体１ａが特定の方向へのねじれに対して強くなり、ロープ状吸着体１ａのプーリーでの走行を安定させることが可能となる。なお、図５に示すように、帯状の連続体１２ａを複数本としてもよい。
【００６２】
また、ロープ状吸着体の走行方向を変更するためにプーリーなどを使用する場合、吸着体片１１の厚さのうち帯状の連続体よりもプーリー側を、プーリー中心と吸着体片１１との距離に応じて薄くなるようにすることで、プーリーでの走行方向の変更が容易となる。
【産業上の利用可能性】
【００６３】
本発明よる除湿装置は、除湿装置を設置する場所が少なく、従来の円板状吸着体では設置が困難な場所でも設置が可能である。このため、冷蔵庫または冷凍庫への適用に適している。
【符号の説明】
【００６４】
１０、１００  筐体
１、１ａ  ロープ状吸着体
２、２ａ、１０２  駆動装置
３  再生装置
４、４ａ、４ｂ  貫通孔
５ａ、５ｂ、５ｃ  プーリー
１１  吸着体片
１２  連結手段
１２ａ  連続体
１３  蒸発器
１４  凝集器
１５  蒸発器ファン
１６  凝集器ファン
【図１】
2018176007.tif 000005
【図２】
2018176007.tif 000006
【図３】
2018176007.tif 000007
【図４】
2018176007.tif 000008
【図５】
2018176007.tif 000009
【図６】
2018176007.tif 000010